【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】
ディスク状記録媒体を回転可能に収納し、このディスク状記録媒体の主面に対向する部分に一定の間隔を隔て相対向して第１及び第２の壁部を設け、これら第１及び第２の壁部に相対向して、上記ディスク状記録媒体の信号記録領域の一部を内外周に亘って外方に臨ませる記録及び／又は再生用の開口部と、上記ディスク状記録媒体の中心部を外方に臨ませる駆動用開口部とが設けられたカートリッジ本体と、
上記記録及び／又は再生用の開口部と上記駆動用開口部を開閉する第１及び第２のシャッタ部材とを有し、
上記第１及び第２のシャッタ部材は、上記第１及び第２の壁部との間で移動するように上記カートリッジ本体に支持されたディスクカートリッジ。
【請求項２】
上記第１及び第２のシャッタ部材は、上記記録及び／又は再生用の開口部及び駆動用開口部を閉塞する位置に移動されたとき、互いの一側に互いに重なり合うオーバーラップ部が設けられていることを特徴とする請求項１記載のディスクカートリッジ。
【請求項３】
上記第１のシャッタ部材は、一端側が上記カートリッジ本体に形成された上記ディスク状記録媒体を回転可能に収納する円形をなす媒体収納部の外周部に近接した位置を沿って移動するように支持され、
上記第２のシャッタ部材は、上記第１のシャッタ部材に設けた係合保持部に一部を係合保持させることによって、第１のシャッタ部材に相対関連して回動するように上記カートリッジ本体に支持され、上記第１のシャッタ部材が上記記録及び／又は再生用の開口部を覆う第１の位置に移動されたとき、上記第１のシャッタ部材の一側に密接して上記記録及び／又は再生用の開口部を覆い、上記第１のシャッタ部材が上記記録及び／又は再生用の開口部を開放する第２の位置に回動されたとき上記記録及び／又は再生用の開口部を開放する位置に上記第１のシャッタ部材とともに回動されてなる請求項１記載のディスクカートリッジ。
【請求項４】
上記円形をなす媒体収納部の外周部に沿って円弧状のガイド溝が形成され、このガイド溝に上記第１のシャッタ部材の一端側に形成した円弧状の立ち上がり部を係合させ、この立ち上がり部が上記ガイド溝内を移動することによって上記第１のシャッタ部材が回動されることを特徴とする請求項３記載のディスクカートリッジ。
【請求項５】
上記第１のシャッタ部材は、上記記録及び／又は再生用の開口部及び駆動用開口部を開閉するシャッタ部と、このシャッタ部を移動操作するための移動操作部と、上記シャッタ部と上記移動操作部を連結する連結部とからなり、上記移動操作部は、上記ディスクカートリッジの一の側面に沿って移動して上記シャッタ部を移動操作することを特徴とする請求項３記載のディスクカートリッジ。
【請求項６】
上記記録媒体収納部の外周面に沿って円弧状をなすガイド溝が形成され、上記カートリッジ本体の一の側面に沿って上記円弧状をなすガイド溝になめらかに連続する直線状のガイド溝が形成され、上記第１のシャッタ部材の一端側に円弧状の立ち上がり部が形成され、この立ち上がり部と上記移動操作部が上記連結部を介して連結され、上記シャッタ部材は、上記円弧状立ち上がり部が上記円弧状のガイド溝内を移動し、上記移動操作部が上記直線状のガイド溝内を移動し、上記連結部が上記円弧状のガイド溝と上記直線状のガイド溝内を移動するように上記カートリッジ本体に支持されたことを特徴とする請求項５記載のディスクカートリッジ。
【請求項７】
上記移動操作部は、可撓性を有することを特徴とする請求項５記載のディスクカートリッジ。
【請求項８】
上記記録及び／又は再生用の開口部及び駆動用開口部を閉塞する位置にある上記第１のシャッタ部部材のシャッタ部の移動を規制するロック機構が設けられていることを特徴とする請求項５記載のディスクカートリッジ。
【請求項９】
上記ロック機構による上記シャッタ部の移動規制を解除する手段が上記移動操作部が移動する上記カートリッジ本体の一の側面に設けられていることを特徴とする請求項８記載のディスクカートリッジ。
【請求項１０】
上記ロック機構による上記シャッタ部の移動規制を解除する手段は、上記カートリッジ本体の一の側面に出没する第１の突起であり、上記移動操作部は上記カートリッジ本体の一の側面に沿って移動する第２の突起であり、上記第１及び第２の突起は、上記カートリッジ本体の一の側面に沿って形成された凹状の溝部内に位置されたことを特徴とする請求項９記載のディスクカートリッジ。
【請求項１１】
上記第１及び第２の突起は、当該ディスクカートリッジを記録及び／又は再生装置に挿入するとき、記録及び／又は再生装置への挿入側から第１の突起、第２の突起の順に配置されたことを特徴とする請求項１０記載のディスクカートリッジ。
【請求項１２】
上ハーフと下ハーフとを互いに突き合わせ結合したカートリッジ本体内にディスク状記録媒体を回転可能に収納したディスクカートリッジであり、
上記ディスク状記録媒体の信号記録領域の少なくとも内外周に亘って外方に臨ませる上記カートリッジ本体に設けられた記録及び／又は再生用の開口部と、
上記ディスク状記録媒体を回転駆動する回転駆動手段を進入させる上記カートリッジ本体に設けられた駆動用開口部と、
上記記録及び／又は再生用の開口部と上記駆動用開口部を開閉するシャッタ機構とを備え、
上記シャッタ機構は、主に上記記録及び／又は再生用の開口部を開閉する第１のシャッタ部材と、主に上記駆動用開口部を開閉する第２のシャッタ部材とを有し、上記第１のシャッタ部材は、上記記録及び／又は再生用の開口部及び駆動用開口部を開閉するシャッタ部と、このシャッタ部を移動操作するための移動操作部と、上記シャッタ部と上記移動操作部を連結する連結部とからなり、上記移動操作部は、上記ディスクカートリッジの一の側面に沿って移動して上記シャッタ部を移動操作することを特徴とするディスクカートリッジ。
【請求項１３】
上記移動操作部が移動する上記カートリッジ本体の一の側面は、当該ディスクカートリッジの記録及び／又は再生装置に対する装脱方向と平行な面であることを特徴とする請求項１２記載のディスクカートリッジ。
【請求項１４】
上記移動操作部は、可撓性を有することを特徴とする請求項１２記載のディスクカートリッジ。
【請求項１５】
上記第１のシャッタ部材のシャッタ部と上記連結部は一体に形成されたことを特徴とする請求項１２記載のディスクカートリッジ。
【請求項１６】
上記第１のシャッタ部材の連結部と上記移動操作部は一体に形成されたことを特徴とする請求項１２記載のディスクカートリッジ。
【請求項１７】
上記記録及び／又は再生用の開口部と上記駆動用開口部を閉塞した位置にある上記シャッタ機構の移動を規制するロック機構が設けられていることを特徴とする請求項１２記載のディスクカートリッジ。
【請求項１８】
上記ロック手段による上記シャッタ機構のロックを解除する手段が、上記移動操作部が移動する上記カートリッジ本体の一の側面に設けられていることを特徴とする請求項１７記載のディスクカートリッジ。
【請求項１９】
上記ロック機構による上記シャッタ部の移動規制を解除する手段は、上記カートリッジ本体の一の側面に出没する第１の突起であり、上記移動操作部は上記カートリッジ本体の一の側面に沿って移動する第２の突起であり、上記第１及び第２の突起は、上記カートリッジ本体の一の側面に沿って形成された凹状の溝部内に位置されたことを特徴とする請求項１８記載のディスクカートリッジ。
【請求項２０】
上記第１及び第２の突起は、当該ディスクカートリッジを記録及び／又は再生装置に挿入するとき、記録及び／又は再生装置への挿入側から第１の突起、第２の突起の順に配置されたことを特徴とする請求項１９記載のディスクカートリッジ。
【請求項２１】
ディスク状記録媒体と、
上記ディスク状記録媒体を収納する凹状をなす記録媒体収納部と、この記録媒体収納部の底部を構成する第１の壁部と、この第１の壁部と対向して配される第２の壁部と、上記第１の壁部に形成された第１の開口部に対向して上記第２の壁部に形成された第２の開口部と、上記記録媒体収納部の周面に形成された切り欠き部と、この切り欠き部に連続して形成された溝部とを有するカートリッジ本体と、
上記第１の壁部と第２の壁部との間に配され、上記第１の開口部と上記第２の開口部とによって形成された開口部を開閉するシャッタ部と、このシャッタ部に連接され、上記切り欠き部から上記溝部に亘って配され、上記切り欠き部を開閉する切り欠き開閉部とを有するシャッタ部材とを備えてなるディスクカートリッジ。
【請求項２２】
上記切り欠き開閉部が階段状に形成されたことを特徴とする請求項２１記載のディスクカートリッジ。